(57)【要約】【課題】施工時の労力軽減に寄与し得る浴室カウンタを提供する。【解決手段】浴室カウンタ１において、少なくとも、カウンタ天板部２と幕板部３とを含んで一体的に成形したカウンタ本体カバー４と、カウンタ天板部２を支持する複数のカウンタ天板支持金具５とを有し、カウンタ本体カバー４と、カウンタ天板支持金具５とを連結してカウンタ本体６を形成可能とし、カウンタ本体内部の内部空間９に発泡性樹脂を注入固化せしめ、固定するようにしたので、幕板部３の固定に関わるビス等の金具の使用数を従来と比較して大幅に削減でき、短時間での施工が可能となる。【選択図】　　　　図１
2004081529.tif 000002
【特許請求の範囲】
【請求項１】
少なくとも、カウンタ天板部と幕板部とを含んで一体的に成形したカウンタ本体カバーと、前記カウンタ天板部を支持する複数のカウンタ天板支持金具とを有し、前記カウンタ本体カバーと、前記複数のカウンタ天板支持金具とを連結してカウンタ本体を形成可能な浴室カウンタであって、前記カウンタ本体内部に発泡性樹脂を注入固化せしめ、固定することを特徴とする浴室カウンタ。
【請求項２】
前記カウンタ本体カバーと、前記複数のカウンタ天板支持金具との間にカウンタ天板補強板を有することを特徴とする請求項１記載の浴室カウンタ。
【請求項３】
前記カウンタ本体カバーと、前記カウンタ天板補強板とが、接着剤または接着テープで接着、固定されていることを特徴とする請求項２記載の浴室カウンタ。
【請求項４】
前記カウンタ本体カバーのカウンタ天板部の浴室壁面側端縁と当接し、前記複数のカウンタ天板支持金具を懸垂支持する断面略逆Ｕ字形状の梁状の支持部材を有することを特徴とする請求項１記載の浴室カウンタ。
【発明の詳細な説明】
【０００１】
【発明の属する技術分野】
本発明は、浴室カウンタに関するものである。
【０００２】
【従来の技術】
従来より、浴室カウンタは、図５に示すように、カウンタ天板部２、幕板部３等の構成部材をビス、ねじ等で緊結することにより、固定するのが、通例で、ビス等で固着すべき箇所も多く、上記各部材間の納まりを確認しながらの作業であるため、施工に長時間を要し、また、施工自体も楽な作業ではなかった。
【０００３】
一方、本願出願人は、例えば、特開平８−１７７２４９号公報等において、給水栓を具備する浴室カウンタの給水栓の取りつけ強度の向上を図るためのフレームユニットを一体化した浴室カウンタ等の提案をしているが、上記のような施工時の労力を軽減するための各構成部材の一体化等については、未だ、充分な検討がなされているとは言い難い。
【０００４】
【発明が解決しようとする課題】
本発明は、上記事由に鑑みてなされたもので、その目的とするところは、施工時の労力軽減に寄与し得る浴室カウンタを提供することにある。
【０００５】
【課題を解決するための手段】
上記課題を解決するために、請求項１に係る浴室カウンタにあっては、少なくとも、カウンタ天板部と幕板部とを含んで一体的に成形したカウンタ本体カバーと、前記カウンタ天板部を支持する複数のカウンタ天板支持金具とを有し、前記カウンタ本体カバーと、前記複数のカウンタ天板支持金具とを連結してカウンタ本体を形成可能な浴室カウンタであって、前記カウンタ本体内部に発泡性樹脂を注入固化せしめ、固定することを特徴とするものである。
【０００６】
請求項２に係る浴室カウンタにあっては、請求項１記載の浴室カウンタにおいて、前記カウンタ本体カバーと、前記複数のカウンタ天板支持金具との間にカウンタ天板補強板を有することを特徴とするものである。
【０００７】
請求項３に係る浴室カウンタにあっては、請求項２記載の浴室カウンタにおいて、前記カウンタ本体カバーと、前記カウンタ天板補強板とが、接着剤または接着テープで接着、固定されていることを特徴とするものである。
【０００８】
請求項４に係る浴室カウンタにあっては、請求項１記載の浴室カウンタにおいて、前記カウンタ本体カバーのカウンタ天板部の浴室壁面側端縁と当接し、前記複数のカウンタ天板支持金具を懸垂支持する断面略逆Ｕ字形状の梁状の支持部材を有することを特徴とするものである。
【０００９】
【発明の実施の形態】
以下、本発明の実施形態を図面に基づき説明する。なお、本発明の浴室カウンタは、下記の実施形態にのみ限定されるものではなく、本発明の要旨を逸脱しない範囲内において種々変更を加え得ることは勿論である。また、図１は、本発明の浴室カウンタの典型的実施形態の概略を示すもので、（ａ）は、断面図、（ｂ）は、斜視図である。図２は、本発明の浴室カウンタの図１に示した実施形態のカウンタ本体の形成手順の概略を示す図である。一方、図３は本発明の浴室カウンタの上記と異なる実施形態のカウンタ本体の形成手順の概略を示す図である。図４は本発明の図３に示した実施形態における浴室壁への固定の様子を示す断面図である。さらに、図５は、従来例に係る浴室カウンタの典型的実施形態の概略を示すもので、（ａ）は、断面図、（ｂ）は、その分解斜視図である。
【００１０】
図１、図２に示すように、本実施形態の浴室カウンタ１にあっては、少なくとも、カウンタ天板部２と幕板部３とを含んで一体的に成形したカウンタ本体カバー４と、前記カウンタ天板部２を支持する複数のカウンタ天板支持金具５とを有し、前記カウンタ本体カバー４と、前記複数のカウンタ天板支持金具５とを連結してカウンタ本体６を形成し得るものであって、前記カウンタ本体６の内部空間９に発泡性樹脂を注入固化せしめ、カウンタ本体６全体を固定するものである。この結果、上記した従来例と比較して、幕板部３の固定に関わるビス等の金具の使用数を大幅に削減でき、短時間での施工が可能になることとなる。
【００１１】
さらに、本実施形態の浴室カウンタ１にあっては、カウンタ本体カバー４と、前記複数のカウンタ天板支持金具５との間にカウンタ天板補強板７を備えており、カウンタ本体カバー４と、このカウンタ天板補強板７とが、接着部８において、接着剤または接着テープで接着、固定されている。即ち、かかるカウンタ天板補強板７を備えることにより、カウンタ本体カバー４の前記カウンタ天板部２を安定的に保持し得る一方、カウンタ本体カバー４と、このカウンタ天板補強板７とが、接着部８において、接着剤または接着テープで接着、固定することにより、カウンタ天板補強板７を介して、前記カウンタ本体カバー４がさらに強固に保持し得るというものである。
【００１２】
この場合、前記カウンタ本体カバー４と、前記複数のカウンタ天板支持金具５とを連結するカウンタ本体６の形成については、図２に示すように、前記複数のカウンタ天板支持金具５をカウンタ天板補強板７と固着部１０において、ビス固定する一方、前記支持金具５を浴室壁１３と背面板１５を介して固着部１１、１２において、ビス固定することとなる。さらに、こうして形成したカウンタ本体６の内部に発泡性樹脂を注入固化せしめ、カウンタ本体６の内部空間９をかかる発泡性樹脂の発泡硬化体で、充填することによりカウンタ本体６全体を固定するというものである。
【００１３】
かかる発泡性樹脂の注入部位については、例えば、カウンタ本体６を形成した後、カウンタ本体カバー４の側面部に注入口（図示せず）を設け、これから注入することができるが、特に、限定は無く、上記課題解決に寄与する限りにおいて何ら制約のないことはいうまでもない。この場合、注入された未硬化の発泡性樹脂は、カウンタ本体６内部の前記複数のカウンタ天板支持金具５と前記カウンタ本体カバー４との隙間を流れて、カウンタ本体６内部の内部空間９全体に行き渡るようにするのが好ましいが、その際、例えば、カウンタ天板支持金具５に予め、穴部１４を設ける等の工夫を行なうことにより、より効果的に未硬化の発泡性樹脂をカウンタ本体６内部の内部空間９全体に行き渡るようにすることができることとなる。
【００１４】
また、発泡性樹脂の注入前に、前記支持金具５を浴室壁１３と固着部１１、１２において、背面板１５を使用すること無く、直接ビス固定することにより、カウンタ本体６が、浴室壁１３に固着する形で形成されていれば、発泡性樹脂が、カウンタ本体６と浴室壁１３との隙間から漏出することなく、発泡性樹脂を注入することも可能であり、上記した背面板１５の無い実施形態も当然に可能である。
【００１５】
なお、前記カウンタ本体６の内部空間９の充填に使用可能な発泡性樹脂としては、例えば、ポリウレタン樹脂が好適に使用可能であるが、これのみに限定されるものではなく、ポリエチレン、ポリプロピレン、ポリスチレン等の樹脂をふくんでなる発泡樹脂を使用してもよく、上記課題解決に寄与する限りにおいて何ら制約のないことはいうまでもない。
【００１６】
一方、図３は、上記の図１、図２に示したものとは異なる実施形態を示すものであり、かかる実施形態の浴室カウンタ１ａにあっては、少なくとも、カウンタ天板部２と幕板部３とを含んで一体的に成形したカウンタ本体カバー４ａと、前記カウンタ天板部２を支持する複数のカウンタ天板支持金具５ａとを有し、前記カウンタ本体カバー４ａと、前記複数のカウンタ天板支持金具５ａとを連結してカウンタ本体６ａを形成し得るものであって、カウンタ本体６ａの内部空間９ａに発泡性樹脂を注入固化せしめ、カウンタ本体６ａ全体を固定するものであるが、前記カウンタ本体カバー４ａのカウンタ天板部２の浴室壁面側端縁２ａと当接し、前記複数のカウンタ天板支持金具５ａを固着部１７でビス固定することにより懸垂支持する断面略逆Ｕ字形状の梁状支持部材１６を有するもので、浴室壁１３への固定は、図４に示すように、浴室壁１３に固着部１９でビス固定したカウンタハンガー１８に前記梁状支持部材１６の断面略逆Ｕ字形状部２０を係止することが可能で、これにより、浴室壁１３への着脱が容易になり、更なる施工の省力化による合理化に寄与し得るというものである。
【００１７】
【発明の効果】
以上のように、請求項１に係る浴室カウンタにあっては、少なくとも、カウンタ天板部と幕板部とを含んで一体的に成形したカウンタ本体カバーと、前記カウンタ天板部を支持する複数のカウンタ天板支持金具とを有し、前記カウンタ本体カバーと、前記複数のカウンタ天板支持金具とを連結してカウンタ本体を形成可能な浴室カウンタであって、前記カウンタ本体内部に発泡性樹脂を注入固化せしめ、固定することを特徴とするので、幕板部の固定に関わるビス等の金具の使用数を大幅に削減でき、短時間での施工が可能になるという優れた効果を奏する。
【００１８】
請求項２に係る浴室カウンタにあっては、請求項１記載の浴室カウンタにおいて、前記カウンタ本体カバーと、前記複数のカウンタ天板支持金具との間にカウンタ天板補強板を有することを特徴とするので、請求項１記載の発明の効果に加えて、カウンタ本体カバーの前記カウンタ天板部を安定的に保持し得るという優れた効果を奏する。
【００１９】
請求項３に係る浴室カウンタにあっては、請求項２記載の浴室カウンタにおいて、前記カウンタ本体カバーと、前記カウンタ天板補強板とが、接着剤または接着テープで接着、固定されていることを特徴とするので、請求項２記載の発明の効果に加えて、前記カウンタ天板補強板を介して、前記カウンタ本体カバーがさらに強固に保持し得るという優れた効果を奏する。
【００２０】
請求項４に係る浴室カウンタにあっては、請求項１記載の浴室カウンタにおいて、前記カウンタ本体カバーのカウンタ天板部の浴室壁面側端縁と当接し、前記複数のカウンタ天板支持金具を懸垂支持する断面略逆Ｕ字形状の梁状の支持部材を有することを特徴とするので、請求項１記載の発明の効果に加えて、浴室壁への着脱が容易になり、更なる施工の省力化による合理化に寄与し得るという優れた効果を奏する。
【図面の簡単な説明】
【図１】本発明の浴室カウンタの典型的実施形態の概略を示すもので、（ａ）は、断面図、（ｂ）は、斜視図である。
【図２】本発明の浴室カウンタの図１に示した実施形態のカウンタ本体の形成手順の概略を示す図である。
【図３】本発明の浴室カウンタの上記と異なる実施形態のカウンタ本体の形成手順の概略を示す図である。
【図４】本発明の図３に示した実施形態における浴室壁への固定の様子を示す断面図である。
【図５】従来例に係る浴室カウンタの典型的実施形態の概略を示すもので、（ａ）は、断面図、（ｂ）は、その分解斜視図である。
【符号の説明】
１　　　浴室カウンタ
１ａ　　浴室カウンタ
２　　　カウンタ天板部
２ａ　　浴室壁面側端縁（カウンタ天板部２）
３　　　幕板部
４　　　カウンタ本体カバー
４ａ　　カウンタ本体カバー
５　　　カウンタ天板支持金具
５　　　カウンタ天板支持金具
６　　　カウンタ本体
６ａ　　カウンタ本体
７　　　カウンタ天板補強板
８　　　接着部
９　　　内部空間（カウンタ本体６）
９ａ　　内部空間（カウンタ本体６ａ）
１０　　　固着部
１１　　　固着部
１２　　　固着部
１３　　　浴室壁
１４　　　穴部
１５　　　背面板
１６　　　梁状支持部材
１７　　　固着部
１８　　　カウンタハンガー
１９　　　固着部
２０　　　断面略逆Ｕ字形状部（梁状支持部材１６）
２１　　　幕板支持金具
２２　　　化粧ねじ
２３　　　固定ねじ
２４　　　固定ビス
【図１】
2004081529.tif 000003
【図２】
2004081529.tif 000004
【図３】
2004081529.tif 000005
【図４】
2004081529.tif 000006
【図５】
2004081529.tif 000007